(57)【特許請求の範囲】
【請求項１】
筒状の接地タンクと、
前記接地タンクの内部に、接地タンクの軸方向に移動可能に配置された絶縁ロッドと、
前記接地タンクの一端部に設置され前記絶縁ロッドの一端部に前記接地タンクの軸方向の駆動力を加える操作装置と、
前記接地タンクの内部に配置され、前記絶縁ロッドの他端部に接続されて前記絶縁ロッドとともに移動する駆動導体と、
前記接地タンクの側面に接続された筒状の第１のブッシングと、
前記接地タンクの軸方向において前記第１のブッシングよりも前記接地タンクの一端部から遠い位置で前記接地タンクの側面に接続された筒状の第２のブッシングと、
前記第１のブッシング及び前記第２のブッシングの前記接地タンクとは反対側の端部に設けられたブッシング端子と、
前記第１のブッシングの内部に設置された第１の真空容器と、前記第１の真空容器の内部に互いに対向して配置された第１の固定接点及び第１の可動接点とを有する第１の真空バルブと、
前記第２のブッシングの内部に設置された第２の真空容器と、前記第２の真空容器の内部に互いに対向して配置された第２の固定接点及び第２の可動接点とを有する第２の真空バルブと、
前記第１の固定接点と前記第１のブッシングの前記ブッシング端子とを接続する第１の固定側導体と、
前記第２の固定接点と前記第２のブッシングの前記ブッシング端子とを接続する第２の固定側導体と、
一端部が前記第１の可動接点に電気的に接続された第１の可動側導体と、
一端部が前記第２の可動接点に電気的に接続された第２の可動側導体と、
前記接地タンクの内部において一端部と他端部との間の部分が回動可能に設置され、一端部が前記絶縁ロッドに回動可能に連結された第１のレバーと、
前記接地タンクの内部において一端部と他端部との間の部分が回動可能に設置され、一端部が前記駆動導体に回動可能に連結された第２のレバーと、
前記第１の可動側導体の他端部に一端部が回動可能に連結され、前記第１のレバーの他端部に他端部が回動可能に連結された第１のリンクと、
前記第２の可動側導体の他端部に一端部が回動可能に連結され、前記第２のレバーの他端部に他端部が回動可能に連結された第２のリンクと、
可撓性を有し、前記第１の可動側導体と前記駆動導体とを電気的に接続する第１の可撓性導体と、
可撓性を有し、前記第２の可動側導体と前記駆動導体とを電気的に接続する第２の可撓性導体とを備えることを特徴とする真空遮断器。
【請求項２】
筒状の接地タンクと、
前記接地タンクの内部に、接地タンクの軸方向に移動可能に配置された絶縁ロッドと、
前記接地タンクの一端部に設置され前記絶縁ロッドの一端部に前記接地タンクの軸方向の駆動力を加える操作装置と、
前記接地タンクの内部に配置され、前記絶縁ロッドの他端部に接続されて前記絶縁ロッドとともに移動する駆動導体と、
前記接地タンクの側面に接続された筒状の第１のブッシングと、
前記接地タンクの軸方向において前記第１のブッシングよりも前記接地タンクの一端部から遠い位置で前記接地タンクの側面に接続された筒状の第２のブッシングと、
前記第１のブッシング及び前記第２のブッシングの前記接地タンクとは反対側の端部に設けられたブッシング端子と、
前記第１のブッシングの内部に設置された真空容器と、前記真空容器の内部に互いに対向して配置された固定接点及び可動接点とを有する真空バルブと、
前記固定接点と前記第１のブッシングの前記ブッシング端子とを接続する固定側導体と、
一端部が前記可動接点に電気的に接続された可動側導体と、
前記接地タンクの内部に回動可能に設置され、一端部が前記絶縁ロッドに回動可能に連結されたレバーと、
前記可動側導体の他端部に一端部が回動可能に連結され、前記レバーの他端部に他端部が回動可能に連結されたリンクと、
一端部が前記第２のブッシングの前記ブッシング端子に接続され、他端部が前記接地タンク内に配置された中心導体と、
可撓性を有し、可動側導体と前記中心導体とを電気的に接続する可撓性導体とを備えることを特徴とする真空遮断器。
【請求項３】
前記ブッシング端子側での前記第１のブッシングと前記第２のブッシングとの間隔は、前記接地タンク側での前記第１のブッシングと前記第２のブッシングとの間隔よりも広いことを特徴とする請求項１又は２に記載の真空遮断器。
【請求項４】
前記中心導体は、前記接地タンクと前記第２のブッシングとがなす角度と同じ角度で屈曲する屈曲部を有し、
前記中心導体の前記他端部と前記屈曲部との間の部分を前記接地タンクの内部で支持する絶縁支持台を備えることを特徴とする請求項２に記載の真空遮断器。
【請求項５】
前記中心導体の他端部が前記レバーの回転軸によって支持されたことを特徴とする請求項２に記載の真空遮断器。
【発明の詳細な説明】
【技術分野】
【０００１】
本発明は、ブッシング内に真空バルブを備えた真空遮断器に関する。
【背景技術】
【０００２】
特許文献１に開示されるように、接地タンクの側面にブッシングが設置され、電流遮断用の真空バルブをブッシング内に備えた真空遮断器は、接地タンクの外部に設置された操作装置の駆動力を真空バルブの可動側に伝達するために、駆動力の方向を変換するための機構を接地タンク内に設ける必要がある。
【先行技術文献】
【特許文献】
【０００３】
【特許文献１】特開２０１６−１２７７４４号公報
【発明の概要】
【発明が解決しようとする課題】
【０００４】
接地タンクは絶縁ガスが充填されるため、小型化することが求められている。特許文献１に開示される真空遮断器は、操作装置の駆動力を受ける部材を案内するハウジングを備えたリンク機構又は操作装置の駆動力を受ける部材を長手方向と垂直方向に移動させるリンク機構を接地タンク内に配置して駆動力の方向を変換するため、接地タンクの小型化が困難であり、真空遮断器全体としても小型化が難しかった。【０００５】
本発明は、上記に鑑みてなされたものであって、駆動力の方向を変換するために接地タンク内に配置される機構を小型化した真空遮断器を得ることを目的とする。
【課題を解決するための手段】
【０００６】
上述した課題を解決し、目的を達成するために、本発明は、筒状の接地タンクと、接地タンクの内部に、接地タンクの軸方向に移動可能に配置された絶縁ロッドと、接地タンクの一端部に設置され絶縁ロッドの一端部に接地タンクの軸方向の駆動力を加える操作装置と、接地タンクの内部に配置され、絶縁ロッドの他端部に接続されて絶縁ロッドとともに移動する駆動導体と、接地タンクの側面に接続された筒状の第１のブッシングと、接地タンクの軸方向において第１のブッシングよりも接地タンクの一端部から遠い位置で接地タンクの側面に接続された筒状の第２のブッシングと、第１のブッシング及び第２のブッシングの接地タンクとは反対側の端部に設けられたブッシング端子とを備える。本発明は、第１のブッシングの内部に設置された第１の真空容器と、第１の真空容器の内部に互いに対向して配置された第１の固定接点及び第１の可動接点とを有する第１の真空バルブと、第２のブッシングの内部に設置された第２の真空容器と、第２の真空容器の内部に互いに対向して配置された第２の固定接点及び第２の可動接点とを有する第２の真空バルブと、第１の固定接点と第１のブッシングのブッシング端子とを接続する第１の固定側導体と、第２の固定接点と第２のブッシングのブッシング端子とを接続する第２の固定側導体と、一端部が第１の可動接点に電気的に接続された第１の可動側導体と、一端部が第２の可動接点に電気的に接続された第２の可動側導体とを備える。本発明は、接地タンクの内部において一端部と他端部との間の部分が回動可能に設置され、一端部が絶縁ロッドに回動可能に連結された第１のレバーと、接地タンクの内部において一端部と他端部との間の部分が回動可能に設置され、一端部が駆動導体に回動可能に連結された第２のレバーと、第１の可動側導体の他端部に一端部が回動可能に連結され、第１のレバーの他端部に他端部が回動可能に連結された第１のリンクと、第２の可動側導体の他端部に一端部が回動可能に連結され、第２のレバーの他端部に他端部が回動可能に連結された第２のリンクとを備える。本発明は、可撓性を有し、第１の可動側導体と駆動導体とを電気的に接続する第１の可撓性導体と、可撓性を有し、第２の可動側導体と駆動導体とを電気的に接続する第２の可撓性導体とを備える。
【発明の効果】
【０００７】
本発明によれば、駆動力の方向を変換するために接地タンク内に配置される機構を小型化した真空遮断器を得られる、という効果を奏する。
【図面の簡単な説明】
【０００８】
【図１】本発明の実施の形態１に係る真空遮断器の投入状態での横断面図
【図２】実施の形態１に係る真空遮断器の投入状態での縦断面図
【図３】図１中のＡ部の拡大図
【図４】実施の形態１に係る真空遮断器の遮断状態での横断面図
【図５】本発明の実施の形態２に係る真空遮断器の横断面図
【図６】本発明の実施の形態３に係る真空遮断器の横断面図
【図７】本発明の実施の形態４に係る真空遮断器の横断面図
【発明を実施するための形態】
【０００９】
以下に、本発明の実施の形態に係る真空遮断器を図面に基づいて詳細に説明する。なお、この実施の形態によりこの発明が限定されるものではない。
【００１０】
実施の形態１．
図１は、本発明の実施の形態１に係る真空遮断器の投入状態での横断面図である。図２は、実施の形態１に係る真空遮断器の投入状態での縦断面図である。図１は、図２中のI-I線に沿った断面を示している。図２は、図１中のII-II線に沿った断面を示している。図３は、図１中のＡ部の拡大図である。真空遮断器１は、接地タンク５と、絶縁ロッド１８と、操作装置１９と、カバー１９１と、駆動導体１７と、ブッシング４ａ，４ｂと、真空バルブ２，３と、絶縁支持筒８ａ，８ｂとを有する。接地タンク５は、筒面に開口部５ａ，５ｂが形成された円筒状であり、電気的に接地されている。絶縁ロッド１８は、接地タンク５の内部に、接地タンク５の軸方向に移動可能に配置されている。操作装置１９は、接地タンク５の一端部５ｃに設置され、絶縁ロッド１８の一端部１８ａに接地タンク５の軸方向の駆動力を加える。カバー１９１は、操作装置１９を覆い接地タンク５の端部に接続されている。駆動導体１７は、接地タンク５の内部に配置され、絶縁ロッド１８の他端部１８ｂに一端部１７ａが接続されて、絶縁ロッド１８とともに移動する。ブッシング４ａは、接地タンク５の側面に接続された筒状の第１のブッシングである。ブッシング４ｂは、接地タンク５の軸方向においてブッシング４ａよりも接地タンク５の一端部５ｃから遠い位置で接地タンク５の側面に接続された筒状の第２のブッシングである。ブッシング４ａ，４ｂは、接地タンク５の開口部５ａ，５ｂの上方に配置されて、開口部５ａ，５ｂを通じて接地タンク５に連通している。
【００１１】
真空バルブ２は、ブッシング４ａの内部に設置された第１の真空バルブである。真空バルブ２は、第１の真空容器である真空容器２ａと、第１の可動接点である可動接点２ｂと、第１の固定接点である固定接点２ｃとを有する。真空容器２ａは、絶縁材料で形成された筒状である。可動接点２ｂ及び固定接点２ｃは、真空容器２ａの内部に対向して配置されている。可動接点２ｂには、第１の可動側導体である可動側導体１６ａの一端部１６２ａが連結されている。可動側導体１６ａの他端部１６１ａは、真空容器２ａの外部に突出しており、第１のリンクであるリンク１４の一端部１４１に回動可能に連結されている。固定接点２ｃには、第１の固定側導体である固定側導体８１ａの一端部８１１ａが連結されている。固定側導体８１ａの他端部８１２ａは、真空容器２ａの外部に突出しており、ブッシング４ａのブッシング端子８２ａに接続されている。可動接点２ｂ及び可動側導体１６ａは、一体で移動可能である。可動接点２ｂは、固定接点２ｃに接触する位置と固定接点２ｃから離間した位置との間を移動する。
【００１２】
真空バルブ３は、ブッシング４ｂの内部に設置された第２の真空バルブである。真空バルブ３は、第２の真空容器である真空容器３ａと、第２の可動接点である可動接点３ｂと、第２の固定接点である固定接点３ｃとを有する。真空容器３ａは、絶縁材料で形成された筒状である。可動接点３ｂ及び固定接点３ｃは、真空容器３ａの内部に対向して配置されている。可動接点３ｂには、第２の可動側導体である可動側導体１６ｂの一端部１６２ｂが連結されている。可動側導体１６ｂの他端部１６１ｂは、真空容器３ａの外部に突出しており、第２のリンクであるリンク１５の一端部１５１に回動可能に連結されている。固定接点３ｃには、第２の固定側導体である固定側導体８１ｂの一端部８１１ｂが連結されている。固定側導体８１ｂの他端部８１２ｂは、真空容器３ａの外部に突出しており、ブッシング４ｂのブッシング端子８２ｂに接続されている。可動接点３ｂ及び可動側導体１６ｂは、一体で移動可能である。可動接点３ｂは、固定接点３ｃに接触する位置と固定接点３ｃから離間した位置との間を移動する。
【００１３】
ブッシング４ａには、固定側導体８１ａを流れる電流を検出する変流器（Current  Transformer:CT）７ａが設置されている。ブッシング４ｂには、固定側導体８１ｂを流れる電流を検出する変流器７ｂが設置されている。
【００１４】
第１のレバーであるレバー１０は、一端部１０ａと他端部１０ｂとの間に軸１０ｃが設けられている。軸１０ｃは、接地タンク５の内部に固定された支持絶縁物２２ａに回動可能に支持されている。したがって、レバー１０は、軸１０ｃを中心に回転可能である。レバー１０の一端部１０ａは、絶縁ロッド１８に回動可能に連結されている。また、レバー１０の他端部１０ｂは、リンク１４の他端部１４２に回動可能に連結されている。真空遮断器１が投入状態にあるとき、レバー１０の一端部１０ａと他端部１０ｂとを結ぶ線の方向は、絶縁ロッド１８の長手方向と直交している。また、真空遮断器１が投入状態にあるとき、リンク１４の他端部１４２は、一端部１４１よりも接地タンク５の一端部５ｃ側に配置されている。第２のレバーであるレバー１１は、一端部１１ａと他端部１１ｂとの間に軸１１ｃが設けられている。軸１１ｃは、接地タンク５の内部に固定された支持絶縁物２２ｂに回動可能に支持されている。したがって、レバー１１は、軸１１ｃを中心に回転可能である。レバー１１の一端部１１ａは、駆動導体１７の他端部１７ｂに回動可能に連結されている。また、レバー１１の他端部１１ｂは、リンク１５の他端部１５２に回動可能に連結されている。真空遮断器１が投入状態にあるとき、レバー１１の一端部１１ａと他端部１１ｂとを結ぶ線の方向は、駆動導体１７の長手方向と直交している。また、真空遮断器１が投入状態にあるとき、リンク１５の他端部１５２は、一端部１５１よりも接地タンク５の一端部５ｃ側に配置されている。
【００１５】
なお、上記の各部材が回動可能に連結された部分での回転軸は互いに平行であり、回転軸は、絶縁ロッド１８の移動方向と垂直方向に延びている。
【００１６】
レバー１０，１１及びリンク１４，１５は、絶縁材料で形成されてもよいし、金属といった導電性材料で形成されてもよい。
【００１７】
可動側導体１６ａと駆動導体１７とは、第１の可撓性導体である可撓性導体１２によって電気的に接続されている。また、可動側導体１６ｂと駆動導体１７とは、第２の可撓性導体である可撓性導体１３によって電気的に接続されている。可撓性導体１２，１３は、駆動導体１７と可動側導体１６ａ，１６ｂとの位置関係が変化しても、弾性変形することにより、駆動導体１７と可動側導体１６ａ，１６ｂとの電気的な接続を維持する。
【００１８】
ブッシング４ａ，４ｂの内部には、可動側導体１６ａ，１６ｂが貫通する絶縁スペーサ９ａ，９ｂが設置されている。ブッシング４ａ，４ｂの内部で絶縁スペーサ９ａ，９ｂよりも接地タンク５側の空間と、カバー１９１の内部の空間と接地タンク５の内部の空間とには、絶縁ガスが充填されている。絶縁ガスは、六フッ化硫黄を例示できるがこれに限定はされない。
【００１９】
実施の形態１に係る真空遮断器１の遮断動作について説明する。図４は、実施の形態１に係る真空遮断器の遮断状態での横断面図である。操作装置１９により遮断操作が行われると、絶縁ロッド１８及び駆動導体１７は、接地タンク５に押し込まれる。レバー１０は、支持絶縁物２２ａによって一端部１０ａと他端部１０ｂとの間の部分が回動可能に支持されており、一端部１０ａに絶縁ロッド１８が回動可能に連結されている。さらに、真空遮断器１が投入状態にあるとき、レバー１０の一端部１０ａと他端部１０ｂとを結ぶ線の方向は、絶縁ロッド１８の長手方向と直交している。このため、レバー１０は、絶縁ロッド１８が接地タンク５に押し込まれると、軸１０ｃを回転中心とする回転運動をし、レバー１０の他端部１０ｂは、絶縁ロッド１８の移動方向と逆方向に移動する。この際、レバー１０の回転運動に伴って、レバー１０の他端部１０ｂは、絶縁ロッド１８に近づく。レバー１０の他端部１０ｂが絶縁ロッド１８に近づくことにより、レバー１０の他端部１０ｂに回動可能に連結されているリンク１４の他端部１４２もレバー１０の他端部１０ｂとともに移動し、リンク１４の一端部１４１に回動可能に連結されている可動側導体１６ａは、接地タンク５側に引き寄せられ、可動接点２ｂと固定接点２ｃとが離れる。可撓性導体１２が弾性変形することにより、駆動導体１７と可動側導体１６ａとの位置関係が変化しても、駆動導体１７と可動側導体１６ａとの電気的な接続は維持される。
【００２０】
同様に、レバー１１は、支持絶縁物２２ｂによって一端部１１ａと他端部１１ｂとの間の部分が回動可能に支持されており、一端部１１ａに駆動導体１７が回動可能に連結されている。さらに、真空遮断器１が投入状態にあるとき、レバー１１の一端部１１ａと他端部１１ｂとを結ぶ線の方向は、駆動導体１７の長手方向と直交している。このため、レバー１１は、絶縁ロッド１８とともに駆動導体１７が接地タンク５に押し込まれると、軸１１ｃを回転中心とする回転運動をし、レバー１１の他端部１１ｂは、駆動導体１７の移動方向と逆方向に移動する。この際、レバー１１の回転運動に伴って、レバー１１の他端部１１ｂは、駆動導体１７に近づく。レバー１１の他端部１１ｂが駆動導体１７に近づくことにより、レバー１１の他端部１１ｂに回動可能に連結されているリンク１５の他端部１５２もレバー１１の他端部１１ｂとともに移動し、リンク１５の一端部１５１に回動可能に連結されている可動側導体１６ｂは、接地タンク５側に引き寄せられ、可動接点３ｂと固定接点３ｃとが離れる。可撓性導体１３が弾性変形することにより、駆動導体１７と可動側導体１６ｂとの位置関係が変化しても、駆動導体１７と可動側導体１６ｂとの電気的な接続は維持される。
【００２１】
可動接点２ｂと固定接点２ｃとが離れ、可動接点３ｂと固定接点３ｃとが離れることにより、ブッシング端子８２ａとブッシング端子８２ｂとの間を流れる電流は遮断される。
【００２２】
実施の形態１に係る真空遮断器１の投入動作について説明する。操作装置１９により投入操作が行われると、絶縁ロッド１８及び駆動導体１７は、接地タンク５から引き出される。レバー１０は、支持絶縁物２２ａによって一端部１０ａと他端部１０ｂとの間の部分が回動可能に支持されており、一端部１０ａに絶縁ロッド１８が回動可能に連結されている。このため、レバー１０は、絶縁ロッド１８が接地タンク５から引き出されると、軸１０ｃを回転中心とする回転運動をし、レバー１０の他端部１０ｂは、絶縁ロッド１８の移動方向と逆方向に移動する。この際、レバー１０の回転運動に伴って、レバー１０の他端部１０ｂは、絶縁ロッド１８から遠ざかる。レバー１０の他端部１０ｂが絶縁ロッド１８から遠ざかることにより、レバー１０の他端部１０ｂに回動可能に連結されているリンク１４の他端部１４２もレバー１０の他端部１０ｂとともに移動し、リンク１４の一端部１４１に回動可能に連結されている可動側導体１６ａは、ブッシング４ａ側に押し出され、可動接点２ｂと固定接点２ｃとが接触する。
【００２３】
同様に、レバー１１は、支持絶縁物２２ｂによって一端部１１ａと他端部１１ｂとの間の部分が回動可能に支持されており、一端部１１ａに駆動導体１７が回動可能に連結されている。このため、レバー１１は、絶縁ロッド１８とともに駆動導体１７が接地タンク５から引き出されると、軸１１ｃを回転中心とする回転運動をし、レバー１１の他端部１１ｂは、駆動導体１７の移動方向と逆方向に移動する。この際、レバー１１の回転運動に伴って、レバー１１の他端部１１ｂは、駆動導体１７から遠ざかる。レバー１１の他端部１１ｂが駆動導体１７から遠ざかることにより、レバー１１の他端部１１ｂに回動可能に連結されているリンク１５の他端部１５２もレバー１１の他端部１１ｂとともに移動し、リンク１５の一端部１５１に回動可能に連結されている可動側導体１６ｂは、ブッシング４ｂ側に押し出され、可動接点３ｂと固定接点３ｃとが接触する。
【００２４】
可動接点２ｂと固定接点２ｃとが接触し、可動接点３ｂと固定接点３ｃとが接触することにより、ブッシング端子８２ａとブッシング端子８２ｂとの間に電流が流れる。
【００２５】
実施の形態１に係る真空遮断器１は、駆動導体１７が駆動力の伝達と電気的な接続とを担い、レバー１０，１１及びリンク１４，１５の簡素な構造で操作装置１９による駆動力の方向を変換する。したがって、接地タンク５内に配置する構造物を小型化し、接地タンク５の外形寸法を小さくすることができる。
【００２６】
実施の形態２．
図５は、本発明の実施の形態２に係る真空遮断器の横断面図である。実施の形態２に係る真空遮断器１は、ブッシング端子８２ａ，８２ｂ側の間隔が広くなるようにブッシング４ａ，４ｂを接地タンク５の軸方向に対して傾斜させて配置している点で実施の形態１に係る真空遮断器１と相違する。
【００２７】
実施の形態２に係る真空遮断器１は、実施の形態１に係る真空遮断器１よりもブッシング端子８２ａ，８２ｂ間の絶縁距離が長くなるため、真空遮断器１の耐電圧を向上させることができる。また、実施の形態１に係る真空遮断器１と同じ絶縁距離を短いブッシング４ａ，４ｂで確保できるため、真空遮断器１の小型化が可能である。
【００２８】
実施の形態３．
図６は、本発明の実施の形態３に係る真空遮断器の横断面図である。実施の形態３に係る真空遮断器１は、真空バルブ３を備えておらず、ブッシング４ｂと接地タンク５とに跨がって中心導体２１が配置されている。中心導体２１の一端部２１ａは、ブッシング端子８２ｂに電気的に接続されている。中心導体２１は、接地タンク５とブッシング４ｂとがなす角度と同じ角度の屈曲部２１ｃが設けられている。中心導体２１の他端部２１ｂは、可撓性導体１２によって可動側導体１６ａと電気的に接続されている。また、中心導体２１は、他端部２１ｂと屈曲部２１ｃとの間の部分が絶縁支持台２０で支持されている。変流器７ｂは、ブッシング４ａの下部に設置されている。
【００２９】
実施の形態３に係る真空遮断器１は、ブッシング４ｂの内部には中心導体２１だけが配置されるため、ブッシング４ｂを小径化し、真空遮断器１を全体的に小型化することができる。
【００３０】
実施の形態４．
図７は、本発明の実施の形態４に係る真空遮断器の横断面図である。実施の形態４に係る真空遮断器１は、絶縁支持台２０を備えておらず、中心導体２１の他端部２１ｂがレバー１０の回転軸である軸１０ｃに固定されている点で、実施の形態３に係る真空遮断器１と相違する。
【００３１】
実施の形態４に係る真空遮断器１は、接地タンク５の内部に絶縁支持台２０を設ける必要がないため、接地タンク５を小型化できる。
【００３２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３３】
１  真空遮断器、２，３  真空バルブ、２ａ，３ａ  真空容器、２ｂ，３ｂ  可動接点、２ｃ，３ｃ  固定接点、４ａ，４ｂ  ブッシング、５  接地タンク、５ａ，５ｂ  開口部、５ｃ，１０ａ，１１ａ，１７ａ，１８ａ，２１ａ，１４１，１５１，１６２ａ，１６２ｂ，８１１ａ，８１１ｂ  一端部、７ａ，７ｂ  変流器、８ａ，８ｂ  絶縁支持筒、９ａ，９ｂ  絶縁スペーサ、１０，１１  レバー、１０ｂ，１１ｂ，１７ｂ，１８ｂ，２１ｂ，１４２，１５２，１６１ａ，１６１ｂ，８１２ａ，８１２ｂ  他端部、１０ｃ，１１ｃ  軸、１２，１３  可撓性導体、１４，１５  リンク、１６ａ，１６ｂ  可動側導体、１７  駆動導体、１８  絶縁ロッド、１９  操作装置、２０  絶縁支持台、２１  中心導体、２１ｃ  屈曲部、２２ａ，２２ｂ  支持絶縁物、８１ａ，８１ｂ  固定側導体、８２ａ，８２ｂ  ブッシング端子、１９１  カバー。
【要約】
接地タンク（５）の内部に配置された絶縁ロッド（１８）と、絶縁ロッド（１８）に接続された駆動導体（１７）と、接地タンク（５）の側面に接続された第１のブッシング（４ａ）及び第２のブッシング（４ｂ）と、可動接点（２ｂ，３ｂ）を有する真空バルブ（２，３）と、一端部（１０ａ，１１ａ）が絶縁ロッド（１８）又は駆動導体（１７）に回動可能に連結されたレバー（１０，１１）と、一端部（１６２ａ，１６２ｂ）が可動接点（２ｂ，３ｂ）に電気的に接続された可動側導体（１６ａ，１６ｂ）と、可動側導体（１６ａ，１６ｂ）の他端部（１６１ａ，１６１ｂ）に一端部（１４１，１５１）が回動可能に連結され、レバー（１０，１１）の他端部（１０ｂ，１１ｂ）に他端部（１４２，１５２）が回動可能に連結されたリンク（１４，１５）とを備える。【図１】
0006599074.tif 000002
【図２】
0006599074.tif 000003
【図３】
0006599074.tif 000004
【図４】
0006599074.tif 000005
【図５】
0006599074.tif 000006
【図６】
0006599074.tif 000007
【図７】
0006599074.tif 000008